(57)【要約】【課題】同期式イーサネットを用いた受動型光加入者網を提供する。【解決手段】中央基地局としてのＯＬＴ５１と複数のＯＮＵ５４とからなるイーサネット受動型光加入者網（ＰＯＮ）におけるデータの伝送方法は、上記ＯＬＴ５１が、上記複数のＯＮＵ５４に同期式データを伝送するための同期フレームを構成する第１の段階と、上記ＯＬＴ５１が、上記複数のＯＮＵ５４に非同期式データを伝送するための非同期フレームを構成する第２の段階と、上記ＯＬＴ５１が、上記同期フレームと上記非同期フレームを含むスーパーフレームを構成する第３の段階と、上記ＯＬＴ５１が、上記スーパーフレームを伝送する第４の段階とを含む。【選択図】図５
2006211678.tif 000002
【特許請求の範囲】
【請求項１】
中央基地局としてのＯＬＴと複数のＯＮＵとからなるイーサネット受動型光加入者網（ＰＯＮ）におけるデータ伝送方法であって、
前記ＯＬＴが、前記複数のＯＮＵに同期式データを伝送するための同期フレームを構成する第１の段階と、
前記ＯＬＴが、前記複数のＯＮＵに非同期式データを伝送するための非同期フレームを構成する第２の段階と、
前記ＯＬＴが、前記同期フレームと前記非同期フレームを含むスーパーフレームを構成する第３の段階と、
前記ＯＬＴが、前記スーパーフレームを伝送する第４の段階とを含むことを特徴とする同期式イーサネット受動型光加入者網におけるデータ伝送方法。
【請求項２】
前記第１の段階は、
前記複数のＯＮＵの各々に伝送しようとする同期式データを前記ＯＮＵ毎にサブ同期フレームとして割り当て、前記複数のＯＮＵに関する各々の前記サブ同期フレームを結合することにより、前記同期フレームを構成する段階を含むことを特徴とする請求項１に記載の同期式イーサネット受動型光加入者網におけるデータの伝送方法。
【請求項３】
前記第１の段階は、
前記複数のＯＮＵに対して各々タイムスロットを割り当て、前記複数のＯＮＵに関する各々のタイムスロットを結合することによりサブ同期フレームを構成し、さらに、各サブ同期フレームを結合して前記同期フレームを構成する段階を含むことを特徴とする請求項１に記載の同期式イーサネット受動型光加入者網におけるデータの伝送方法。
【請求項４】
前記各ＯＮＵが、前記スーパーフレーム内の複数のサブ同期フレームのうち、該当するＯＮＵに対するサブ同期フレームを受信し伝送する段階を含むことを特徴とする請求項２に記載の同期式イーサネット受動型光加入者網におけるデータの伝送方法。
【請求項５】
前記各ＯＮＵが、前記スーパーフレーム内の複数のサブ同期フレームにおけるタイムスロットのうち、該当するＯＮＵに対するタイムスロットを受信し転送する段階を含むことを特徴とする請求項３に記載の同期式イーサネット受動型光加入者網におけるデータの伝送方法。
【請求項６】
前記スーパーフレームが、１２５μｓｅｃの伝送サイクルを有することを特徴とする請求項１〜５のいずれか１つに記載の同期式イーサネット受動型光加入者網におけるデータの伝送方法。
【請求項７】
中央基地局としてのＯＬＴと複数のＯＮＵとからなるイーサネット受動型光加入者網（ＰＯＮ）におけるデータの伝送方法であって、
前記複数のＯＮＵの各々が、前記ＯＬＴに同期式データを伝送するためのサブ同期フレームを構成する第１の段階と、
前記複数のＯＮＵの各々が、前記ＯＬＴに非同期式データを伝送するための非同期フレームを構成する第２の段階と、
前記複数のＯＮＵの各々が、前記ＯＬＴと前記複数のＯＮＵとを連結するスプリッタにおいて前記各サブ同期フレームが結合されて一つの同期フレームとなるようにスケジューリングして伝送する第３の段階と、
前記複数のＯＮＵの各々が、前記スプリッタにおいて前記各非同期フレームが結合されて一つの非同期フレームとなるようにスケジューリングして伝送する第４の段階とを含むことを特徴とする同期式イーサネット受動型光加入者網におけるデータの伝送方法。
【請求項８】
前記スプリッタが、前記一つの同期フレームと前記一つの非同期フレームとを結合してスーパーフレームを構成し、前記ＯＬＴに前記スーパーフレームを伝送する第５の段階をさらに含むことを特徴とする請求項７に記載の同期式イーサネット受動型光加入者網におけるデータの伝送方法。
【請求項９】
前記スーパーフレームが、１２５μｓｅｃの伝送サイクルを有するフレームであることを特徴とする請求項８に記載の同期式イーサネット受動型光加入者網におけるデータの伝送方法。
【請求項１０】
中央基地局としてのＯＬＴと複数のＯＮＵとからなるイーサネット受動型光加入者網（ＰＯＮ）におけるデータの伝送方法にであって、
前記複数のＯＮＵの各々が、前記ＯＬＴに同期式データを伝送するためのタイムスロットを構成する第１の段階と、
前記複数のＯＮＵの各々が、前記ＯＬＴに非同期式データを伝送するための非同期フレームを構成する第２の段階と、
前記複数のＯＮＵの各々が、前記ＯＬＴと前記多数のＯＮＵとを連結するスプリッタにおいて前記各タイムスロットが結合されて一つのサブ同期フレームとなるようにスケジューリングして伝送する第３の段階と、
前記複数のＯＮＵの各々が、前記スプリッタにおいて前記各非同期フレームが結合されて一つの非同期フレームとなるようにスケジューリングして伝送する第４の段階とを含むことを特徴とする同期式イーサネット受動型光加入者網におけるデータの伝送方法。
【請求項１１】
前記スプリッタが、所定数の前記サブ同期フレームと前記一つの非同期フレームとを結合してスーパーフレームを構成し、前記ＯＬＴに前記スーパーフレームを伝送する第５の段階をさらに含むことを特徴とする請求項１０に記載の同期式イーサネット受動型光加入者網におけるデータの伝送方法。
【請求項１２】
前記スーパーフレームが、１２５μｓｅｃの伝送サイクルを有することを特徴とする請求項１１に記載の同期式イーサネット受動型光加入者網におけるデータの伝送方法。
【発明の詳細な説明】
【技術分野】
【０００１】
本発明は、受動型光加入者網に関するもので、特に、同期式イーサネットを用いた受動型光加入者網に関する。
【背景技術】
【０００２】
従来の受動型光加入者網は、時分割（time-division）方法を用いるものと、波長分割(wave-division)方法を用いるものとに大別できる。
【０００３】
ここで、時分割方法を用いる受動型光加入者網に代表されるものが、イーサネット受動型光加入者網（Ethernet Passive Optical Network）であるが、受動型光加入者網は、その特性上、メディアアクセス制御（ＭＡＣ）のために、別の制御方法、すなわち、上り信号の衝突を防ぐための方法を用いている。
【０００４】
通常のイーサネット受動型光加入者網は、上り信号の衝突を防ぐために、加入者装置毎に時間領域を別途に設け、各加入者装置に対し、自分に割り当てられた時間に合わせて伝送を行わせる。しかしながら、この方法における時間領域は、加入者装置毎の上り信号の種類を問わずに一概に定められており、２種以上の上り信号がある場合には、これらの上り信号間の競合は避けられない。そして、このように上り信号間で競合が生じる場合、通常、タイムラグが発生する。特に、マルチメディア信号の場合では、当該マルチメディア信号がタイムラグに極めて敏感であるため、従来のイーサネット受動型光加入者網は、タイムラグがない厳密な時間情報が要求されるマルチメディア信号の伝送には適していない。
【０００５】
そして、近年、従来のイーサネットを用いて（イーサネットとの互換性を保持しながら）画像／音声などのマルチメディアデータを伝送するための技術について鋭意研究が行われており、マルチメディアデータを伝送するためのイーサネットは、同期式イーサネットと呼ばれている。
【０００６】
図１は、従来の同期式イーサネットの伝送サイクルの構造を示す図である。
【０００７】
図１に示すように、従来の同期式イーサネットでは、データ伝送のための伝送サイクルとして、１２５μｓｅｃ単位を１サイクルとしており、各サイクルは、非同期式データの伝送のための非同期フレーム区間１２と、同期式データの伝送のための同期フレーム区間１１とを含んでいる。
【０００８】
より具体的に説明すると、現在論議中の提案によれば（無論、論議中の提案は変わり得る）、同期式データの伝送のための同期フレーム区間１１は、伝送サイクルにおいて最も高いプライオリティを有する部分として、それぞれ７３８バイトのサブ同期フレーム１１−１,１１−２,・・・,１１−Ｍを含むように構成されている。
【０００９】
そして、非同期データの伝送のための非同期フレーム区間１２は、対応する領域においてサイズ可変のサブ非同期フレームを含んでいる。
【００１０】
また、各サブ同期フレーム１１−１,１１−２,・・・,１１−Ｍは、それぞれｎ個の同期式パケット１０１−１〜１０１−ｎを含んでいる。
【００１１】
しかしながら、上述のように同期式イーサネットをイーサネット受動型光加入者網に適用するためには、従来のイーサネットの受動型光加入者網のようにＩＥＥＥ８０２．３に規定されているＣＳＭＡ／ＣＤ（Carrier Sense Multiple Access/Collision Detect）プロトコルを用いて競合的にアクセスさせる方式とは異なる別の方式にてＭＡＣ制御を行う必要がある。
【００１２】
すなわち、サービス品質（ＱｏＳ：Quality of Service）を低下させることなく各種のマルチメディアに対応可能なイーサネット受動型光加入者網であって、厳密な時間情報が求められるマルチメディア信号と一般の他の信号とを（振り）分けて伝送可能な同期式イーサネットを用いたイーサネット受動型光加入者網の構成方法が要望されている。
【発明の開示】
【発明が解決しようとする課題】
【００１３】
本発明は、上述のような要望に応えるためになされたものであって、その目的は、マルチメディアデータの伝送にあたって、ＱｏＳを保障するために同期式イーサネットを適用し、且つ、それによる同期式データと非同期式データの伝送を特定する、同期式イーサネット受動型光加入者網におけるデータの伝送方法を提供することにある。
【課題を解決するための手段】
【００１４】
上記の目的を達成するための本発明の１つの側面としての同期式イーサネット受動型光加入者網におけるデータの伝送方法は、中央基地局としてのＯＬＴと複数のＯＮＵとからなるイーサネット受動型光加入者網（ＰＯＮ）におけるデータの伝送方法であって、上記ＯＬＴが、複数のＯＮＵに同期式データを伝送するための同期フレームを構成（生成）する第１の段階と、上記ＯＬＴが、複数のＯＮＵに非同期式データを伝送するための非同期フレームを構成（生成）する第２の段階と、上記ＯＬＴが、同期フレームと非同期フレームとを含むスーパーフレームを構成する第３の段階と、上記ＯＬＴが、上記スーパーフレームを伝送する第４の段階とを含むことを特徴とする。
【００１５】
また、本発明の他の側面としての同期式イーサネット受動型光加入者網におけるデータの伝送方法は、中央基地局としてのＯＬＴと複数のＯＮＵとからなるイーサネット受動型光加入者網（ＰＯＮ）におけるデータの伝送方法であって、複数のＯＮＵの各々が、ＯＬＴに同期式データを伝送するためのサブ同期フレームを構成（生成）する第１の段階と、複数のＯＮＵの各々が、ＯＬＴに非同期式データを伝送するための非同期フレームを構成（生成）する第２の段階と、複数のＯＮＵの各々が、ＯＬＴと複数のＯＮＵとを連結するスプリッタにおいて上記各サブ同期フレームが結合されて一つの同期フレームとなるようにスケジューリングして伝送する第３の段階と、複数のＯＮＵの各々が、上記スプリッタにおいて上記各非同期フレームが結合されて一つの非同期フレームとなるようにスケジューリングして伝送する第４の段階とを含むことを特徴とする。
【００１６】
さらに、本発明の他の側面としての同期式イーサネット受動型光加入者網におけるデータの伝送方法は、中央基地局としてのＯＬＴと複数のＯＮＵとからなるイーサネット受動型光加入者網（ＰＯＮ）におけるデータの伝送方法であって、複数のＯＮＵの各々が、ＯＬＴに同期式データを伝送するためのタイムスロットを構成（生成）する第１の段階と、複数のＯＮＵの各々が、ＯＬＴに非同期式データを伝送するための非同期フレームを構成（生成）する第２の段階と、複数のＯＮＵの各々が、上記ＯＬＴと上記多数のＯＮＵとを連結するスプリッタにおいて上記各タイムスロットが結合されて一つのサブ同期フレームとなるようにスケジューリングして伝送する第３の段階と、複数のＯＮＵの各々が、スプリッタにおいて上記各非同期フレームが結合されて一つの非同期フレームとなるようにスケジューリングして伝送する第４の段階とを含むことを特徴とする。
【発明の効果】
【００１７】
本発明によれば、同期式イーサネットを用いた受動型光加入者網におけるデータ伝送方法を提供することにより、受動型光加入者網における同期信号と非同期信号との伝送が可能になる。
【００１８】
また、本発明によれば、大きなサイズを有する同期信号はフレーム単位での伝送を行い、小さいサイズを有する同期信号や伝送頻度の高い同期信号についてはタイムスロット単位で伝送を行うことが可能になり、同期信号の特性に応じた伝送が可能となる。このために、効率のよい通信を行うことが可能となるという効果を奏する。
【発明を実施するための最良の形態】
【００１９】
以下、本発明の好適な実施形態について添付図面を参照しながら詳細に説明する。なお、図中、同じ構成要素については、たとえそれらが他の図面に示されているとしても、できる限り同じ参照符号を付している。また、下記の説明において、本発明の要旨を不要にぼやかすと判断される場合には、関連する公知の機能や構成についての詳細な説明を適宜省略する。
【００２０】
図１は、先に説明したが、従来の同期式イーサネットの伝送サイクルの構造を示す図である。本実施形態においても、基本的部分において、この従来の同期式イーサネットの伝送サイクル構造と同様の構成を有している。
【００２１】
図１に示すように、同期式イーサネットにおいては、データ伝送のための伝送サイクル（時間幅）として、１２５μｓｅｃ単位を１サイクルとしており、各伝送サイクルは、非同期式データの伝送のための非同期フレーム区間１２と同期式データの伝送のための同期フレーム区間１１とを含んでいる。
【００２２】
より具体的に説明すると、同期式データ伝送のための同期フレーム区間１１は、伝送サイクルにおいて最も高いプライオリティを有する部分として、各々が７３８バイトの複数のサブ同期フレーム１１−１,１１−２,・・・,１１−Ｍを含むように構成されている。
【００２３】
また、非同期データ伝送のための非同期フレーム区間１２は、対応する領域においてサイズ可変の複数のサブ非同期フレームを含むように構成されている。
【００２４】
また、各サブ同期フレーム１１−１,１１−２,・・・,１１−Ｍは、それぞれがｎ個の同期式パケット１０１−１〜１０１−ｎを含んでおり、各同期式パケット１０１−１〜１０１−ｎは、一つのタイムスロットとして適用される（相当する）。
【００２５】
以下、図２を参照して、本実施形態の同期式イーサネットの階層構造について説明する。
【００２６】
図２に示すように、同期式イーサネットの階層構造は、ＯＳＩ階層モデルの最下位の階層であって、ハードウェアと直接的に関連してイーサネットフレームの入出力を司るＰＨＹ階層２１と、ＰＨＹ階層２１とデータリンク階層とを結ぶための８０２．３ＭＡＣ−ＰＬＳ（Physical Layer Signaling）インタフェース階層としてのｘＭＩＩ（x Media Independent Interface）階層２２と、同期フレームに対してＭＡＣ階層以上の処理を施すための同期フレーム処理部２６、及び非同期フレームに対してＭＡＣ階層以上の処理を施すための非同期フレーム処理部２７を備えている。
【００２７】
非同期フレーム処理部２７は、従来の階層構造と同様に、上位階層（ＭＡＣクライアント）２５からのパケットをイーサネットフレーム化してＰＨＹ階層２１に伝送し、ＰＨＹ階層２１からのイーサネットフレームをパケット化して上位階層２５に送出するためのＭＡＣ階層２３と、受信したイーサネットフレームを解析し、イーサネットフレームに含まれる情報に基づいて目的地（宛先）への中継（Relay）の有無を決定し、中継が決まった場合に、所定の宛先にイーサネットフレームを送出するブリッジング階層２４とを備えている。
【００２８】
特に、本実施形態においては、ｘＭＩＩ階層２２は、同期式イーサネットフレームをサブ同期フレーム及びサブ非同期フレームの各々に分け、各々の特性に応じて上位階層（ＭＡＣ階層２３、ＭＡＣクライアント２５）に送出するパーサ２２１と、同期フレーム処理部２６からのサブ同期フレームと非同期フレーム処理部２７からのサブ非同期フレームを、一つのサイクルとして多重化するＭＵＸ２２２とを備えている。
【００２９】
以下、図３を参照して、本実施形態の同期フレーム処理部２６について詳細に説明する。図３は、同期式イーサネット階層構造における、同期フレームを処理するデータリンク階層の構成要素としての同期フレーム処理部２６の詳細構造図である。
【００３０】
図３に示すように、同期フレーム処理部２６は、マルチメディア情報を処理する上位階層に接続され、入出力時の連続性を保障するためのバッファリング動作を行う同期バッファ３４と、同期バッファ３４を介して上位階層から伝送された同期データに対して同期ヘッダを生成する同期フレーム−フレーム部３３と、下位階層（例えば、パーサ２２１など）から伝送されたサブ同期フレームにおける同期ヘッダを消去して同期バッファ３４に伝送する同期フレーム−逆フレーム部３２と、同期フレーム−フレーム部３３と同期フレーム−逆フレーム部３２とに接続され、且つ下位階層２２１、２２２に接続され、サブ同期フレームの伝送ルーティング（送り経路）を提供するスロットルーティング処理部３１とを備える。
【００３１】
なお、同期フレーム−フレーム部３３、同期フレーム−逆フレーム部３２及びスロットルーティング処理部３４は、ソフトウェアとして機能するように構成すればよい。
【００３２】
ここで、図２及び図３を参照して、上述した本実施形態の同期式イーサネットの階層構造の動作について説明する。
【００３３】
まず、図２に示す下り信号、すなわち、上位階層から下位階層への信号について説明する。非同期シリアルインタフェース（ＡＳＩ）などを有する放送データなどのマルチメディアデータ（同期パケット）が入力されると、対応するインタフェースを介してマルチメディアデータを受信し、これを同期フレーム処理部２６の同期バッファ３４に保存する。そして、ソフトウェアとして構成される同期フレーム−フレーム部３３とスロットルーティング処理部３１とにより、同期バッファ３４に保存されたデータに対して、同期ヘッダを作成し、ペイロードにスロットを割り当ててサブ同期フレームを構成（生成）する。
【００３４】
すなわち、同期フレーム−フレーム部３３とスロットルーティング処理部３１は、後述するように、複数のＯＮＵ（加入者装置）の各々に伝送しようとするマルチメディアデータ（図１に示した同期パケット）をＯＮＵ毎にサブ同期フレームとして割り当てるとともに、複数のＯＮＵに対して各々タイムスロットを割り当てることにより、サブ同期フレームを構成する。
【００３５】
ここで、同期ヘッダには、サブ同期フレームをカウントするためのフレームカウンタ情報と、伝送サイクルをカウントするためのサイクルカウンタ情報と、スロット割当てのためのスロットルーティング情報、及びスロット予約情報が含まれる。
【００３６】
そして、同期フレーム処理部２６において構成されたサブ同期フレームは、ｘＭＩＩ階層２２のＭＵＸ２２２に送出され、非同期フレーム処理部２７を介して送出されたサブ非同期フレームとともに、一つの伝送サイクルの同期式イーサネットフレームとして構成され、ＰＨＹ階層２１を介して他の機器に送出される。なお、上述のように、ブリッジング階層２４とＭＡＣ階層２３とから構成される非同期フレーム処理部２７は、通常のＩＥＥＥ８０２．３に基づくデータリンク階層の動作を行う。
【００３７】
一方、上り信号の場合、ＰＨＹ階層２１を介して受信された同期式イーサネットフレームは、ｘＭＩＩ階層２２のパーサ２２１において同期フレーム領域と非同期フレーム領域とに振り分けられる。そして、同期フレーム領域がパーサ２２１から同期フレーム処理部２６に送出され、非同期フレーム領域がパーサ２２１から非同期フレーム処理部２７に送出される。
【００３８】
そして、同期フレーム処理部２６に送られてきた同期フレーム領域のサブ同期フレームは、同期フレーム処理部２６のスロットルーティング処理部３１を介して同期フレーム−逆フレーム部３２に送出され、同期ヘッダに含まれているペイロードのスロットに関する情報に基づいて、サブ同期フレームからマルチメディアデータを抽出される。抽出されたマルチメディアデータは、同期バッファ３４を通じたＱｏＳの保障を行いつつ、当該マルチメディアデータを処理するための上位階層に送られる。
【００３９】
次に、上述のデータ構造と階層構造を有する同期式イーサネット受動型光加入者網における信号の伝送について説明する。同期式イーサネット受動型光加入者網における信号の伝送は、下り（ダウンストリーム）伝送と上り（アップストリーム）伝送とに大別することができる。
【００４０】
まず、図４を参照して、従来のイーサネット受動型光加入者網における下り伝送方法について説明する。
【００４１】
図４は、従来のイーサネット受動型光加入者網における下り伝送方法の例示図であって、ＯＬＴ（Optical line terminal）４１が各ＵＥ（User Equipment）４４−１、４４−２、４４−３に対してデータ４０１、４０２、４０３、４０４を伝送すると、それらのデータは、スプリッタ４２を介して各ＯＮＵ（Optical network unit）４３−１、４３−２、４３−３に伝送される。各ＯＮＵ４３−１、４３−２、４３−３では、ＭＡＣヘッダの宛先アドレス情報を基にＵＥ４４−１、４４−２、４４−３の各々に関するデータをスロット単位で抽出し、それらを各ＵＥ宛てに伝送する。
【００４２】
そして、このような従来のイーサネット受動型光加入者網における下り伝送方法に対して、本実施形態の同期式イーサネット受動型光加入者網における下り伝送方法は、図４に示した下り伝送方法とは異なり、各ＵＥに対してそれぞれサブ同期フレームを割り当てて構成される同期式データを伝送する第１の下り伝送方法と、各ＵＥに対して各サブ同期フレーム内のタイムスロットを割り当てて構成される同期式データを伝送する第２の下り伝送方法と、により行われる。
【００４３】
まず、各ＵＥに対して各サブ同期フレームを割り当てて構成される同期式データを伝送する第１の下り伝送方法について説明する。図５は、本実施形態の同期式イーサネット受動型光加入者網における第１の下り伝送方法を示す例示図である。
【００４４】
図５に示すように、本実施形態の同期式イーサネット受動型光加入者網における第１の下り伝送方法は、各ＵＥにそれぞれサブ同期フレームを割り当てて同期式データを伝送するものであり、この場合、非同期フレームの伝送は、図４に示した従来のイーサネットの受動型光加入者網における伝送と同様に行われる。
【００４５】
この第１の下り伝送方法において、ＯＬＴ５１から各ユＵＥ５４−１〜５４−Ｍに伝送される同期フレーム及び非同期フレームは、スーパーフレーム５０１、５０２、５０３で構成され、スプリッタ５２を介して各ＯＮＵ５３−１〜５３−Ｍに送出される。各ＯＮＵ５３−１〜５３−Ｍでは、送られてきたスーパーフレーム５０１における同期フレーム及び非同期フレームの振り分け処理を行い、該当するそれぞれのフレームを各ＵＥ５４−１〜５４−Ｍに伝送する。
【００４６】
なお、図５に示すように、各スーパーフレーム５０１、５０２、５０３は、同期データを伝送するために、各ＵＥ５４−１〜５４−Ｍに割り当てられたサブ同期フレーム５１１−１、５１１−２,・・・,５１１−Ｍと、非同期フレーム５１２−１、５１２−２、５１２−３とから構成されている。
【００４７】
このように、本実施形態の同期式イーサネット受動型光加入者網における第１の下り伝送方法では、各ＯＮＵ５３−１〜５３−Ｍは、サブ同期フレーム単位で同期信号を振り分けて各ＵＥにサブ同期フレーム及び非同期フレームを伝送しているため、サブ同期フレーム内のスロット単位での信号の振り分けは不要となる。
【００４８】
すなわち、厳密な時間情報が求められるマルチメディア信号とその他の信号とを振り分けて伝送することが可能になり、サービス品質（ＱｏＳ：Quality of Service）を低下させることなく各種のマルチメディアに対応可能なイーサネット受動型光加入者網を提供することが可能となる。より具体的に説明すれば、複数のＯＮＵの各々に伝送しようとする同期式データをＯＮＵ毎にサブ同期フレームとして割り当て、各ＯＮＵが、スーパーフレーム内の複数のサブ同期フレームのうち、該当するＯＮＵに対するサブ同期フレームを受信し伝送するので、高いＱｏＳを維持し、かつマルチメディアに対応可能なイーサネット受動型光加入者網を提供することが可能となる。
【００４９】
次に、各ＵＥに対して各サブ同期フレーム内のタイムスロットを割り当てて構成される同期式データを伝送する第２の下り伝送方法について説明する。図６は、同期式イーサネット受動型光加入者網における第２の下り伝送方法の例示図である。
【００５０】
図６に示すように、本実施形態の同期式イーサネット受動型光加入者網における第２の下り伝送方法は、各ＵＥに各サブ同期フレーム内のタイムスロットを割り当てて同期式データを伝送するものであり、この場合、非同期フレームの伝送は、図４に示した従来のイーサネットの受動型光加入者網における伝送と同様に行われる。
【００５１】
この第２の下り伝送方法において、ＯＬＴ６１から各ＵＥ６４−１〜６４−Ｍに送出される同期フレームと非同期フレームは、上記第１の下り伝送方法と同様に、スーパーフレーム６０１、６０２、６０３で構成され、スプリッタ６２を介して各ＯＮＵ６３−１〜６３−Ｍに送出される。そして、各ＯＮＵ６３−１〜６３−Ｍは、送られてきたスーパーフレーム６０１における同期フレーム及び非同期フレームとの振り分け処理を行い、該当するそれぞれのフレームを各ＵＥ６４−１〜６４−Ｍに送出する。
【００５２】
なお、スーパーフレーム６０１、６０２、６０３は、同期データを伝送するために、複数のサブ同期フレーム６１１−１，６１１−２,・・・，６１１−Ｎを含み、各サブ同期フレーム６１１−１，６１１−２,・・・，６１１−Ｎは、各ＵＥ６４−１〜６４−Ｍに対して割り当てられた同期タイムスロット６１１−１１〜６１１−１Ｍ、６１１−２１〜６１１−２Ｍ,・・・,６１１−Ｎ１〜６１１−ＮＭと、各ＵＥ６４−１〜６４−Ｍに対して割り当てられた非同期フレーム６１２−１、６１２−２、６１２−３とから構成されている。
【００５３】
このように、本実施形態の同期式イーサネット受動型光加入者網における第２の下り伝送では、各ＯＮＵ６３−１〜６３−Ｍは、サブ同期フレーム内のタイムスロット単位で各ＵＥ６４−１〜６４−Ｍに関する同期信号を振り分けている。このため、各ＯＮＵ６３−１〜６３−Ｍは、サブ同期フレーム内のスロット単位での信号の振り分けを必要とせず、上記第１の下り伝送方法と同様の効果が奏される。
【００５４】
次に、イーサネット受動型光加入者網における上り伝送方法について説明する。図７は、従来のイーサネット受動型光加入者網における上り伝送方法の例示図である。
【００５５】
図７に示すように、従来の通常のイーサネット受動型光加入者網における上り伝送方法は、各ＵＥ７４−１、７４−２、７４−３に関するデータ７４１−１、７４１−２、７４２−１、７４３−１、７４３−２、７４３−３が、各ＯＮＵ７３−１、７３−２、７３−３に送られる。そして、各ＯＮＵ７３−１、７３−２、７３−３は、各ＵＥ７４−１、７４−２、７４−３のデータを束ねてそれぞれ一つのパケット７４１、７４２、７４３にし、これらをスケジューリングして時間順にＯＬＴ７１に送る（例えば、Time Division Multiple Access方式）。
【００５６】
これに対して、本実施形態の同期式イーサネット受動型光加入者網における上り伝送方法は、上述の下り伝送方法と同様に、２通りの方法により行われる。
【００５７】
第１の上り伝送方法は、１サイクルごとに一つのサブ同期フレームを各ＵＥに割り当てることによって同期式データを上り伝送するものであり、第２の上り伝送方法は、各ＵＥにサブ同期フレームのタイムスロットを割り当てることによって一つのサブ同期フレーム内に各ＵＥのタイムスロットを含む同期式データを伝送するものである。
【００５８】
図８は、本実施形態の同期式イーサネット受動型光加入者網における第１の上り送信方法の例示図である。
【００５９】
図８に示すように、本実施形態の同期式イーサネット受動型光加入者網における第１の上り送信方法は、各ＵＥが、１サイクルにおいて一つずつのサブ同期フレームを割り当てられてなる同期式データを上り伝送するものである。
【００６０】
各ＵＥ８４−１〜８４−Ｍから各ＯＮＵ８３−１〜８３−Ｍを介して上り伝送される同期式イーサネットデータは、スプリッタ８２で一つのスーパーフレーム８０１となってＯＬＴ８１に送出される。
【００６１】
ここで、スプリッタ８２で生成されるスーパーフレーム８０１は、１サイクル当たりに１５６２５オクテットを有し、各ＵＥ８４−１〜８４−Ｍからのサブ同期フレーム８３１−１，８３２−１,・・・，８３Ｍ−１と、各ＵＥ８４−１〜８４−Ｍからの非同期フレーム８３１−２，８３２−２,・・・，８３Ｍ−２とから構成される。
【００６２】
そして、スプリッタ８２に入力される各サブ同期フレーム８３１−１，８３２−１,・・・，８３Ｍ−１は、各ＯＮＵ８３−１〜８３−Ｍで生成される。各ＯＮＵ８３−１〜８３−Ｍで生成されるサブ同期フレーム８３１−１，８３２−１,・・・，８３Ｍ−１は、一つのスーパーフレーム８０１内にそれぞれ割り当て可能にスケジューリングされる。
【００６３】
図９は、本実施形態の同期式イーサネット受動型光加入者網における第２の上り伝送方法の例示図である。
【００６４】
図９に示すように、本実施形態の同期式イーサネット受動型光加入者網における第２の上り伝送方法は、各ＵＥに各サブ同期フレームのタイムスロットを割り当てることによって一つのサブ同期フレーム内に各ユーザのタイムスロットを含む同期式データを上り伝送する場合である。
【００６５】
各ＵＥ９４−１〜９４−Ｍから各ＯＮＵ９３−１〜９３−Ｍを介して上り伝送される同期式イーサネットデータは、スプリッタ９２で一つのスーパーフレーム９０１となってＯＬＴ９１に送出される。
【００６６】
ここで、スプリッタ９２で生成されるスーパーフレーム９０１は、１サイクル当たりに１５６２５オクテットを有し、任意の数ｎを有するサブ同期フレーム９３１−１，９３２−１,・・・，９３ｎ−１と、非同期フレーム９３１−２，９３２−２,・・・，９３Ｍ−２とから構成される。
【００６７】
また、各サブ同期フレーム９３１−１，９３２−１,・・・，９３ｎ−１は、各ＵＥ９４−１〜９４−Ｍに割り当てられたタイムスロットを有し、当該タイムスロットに当該ＵＥからの同期式データが載せられた状態で上り伝送が行われるようにする。
【００６８】
以下に、本実施形態における同期式データの第２の上り伝送過程について説明する。ここでは、ＵＥ９４−１の伝送過程を一例に説明する。
【００６９】
ＵＥ９４−１は、上り伝送のための同期式データと非同期式データをＯＮＵ９３−１に伝送する。そして、ＯＮＵ９３−１は、サブ同期フレームのためのタイムスロットデータ９３１−１１，９３１−１２,・・・，９３１−１ｎと非同期フレーム９３１−２を生成し、スプリッタ９２に伝送する。
【００７０】
スプリッタ９２では、各ＯＮＵ９３−１〜９３−Ｍから伝送されたサブ同期フレームのためのタイムスロットデータ９３１−１１，９３１−１２,・・・，９３１−１ｎ、９３２−１１，９３２−１２,・・・，９３２−１ｎ、９３Ｍ−１１，９３Ｍ−１２,・・・，９３Ｍ−１ｎを順次に受信してサブ同期フレームを生成する。
【００７１】
すなわち、一つのサブ同期フレームには、各ＯＮＵ９３−１〜９３−Ｍから送られてくるサブ同期フレームのためのタイムスロットデータが含まれる。より具体的には、ＯＮＵ９３−１からのタイムスロットデータ９３１−１１が当該スプリッタ９２に入力され、次にＯＮＵ９３−２からのタイムスロットデータ９３２−１１が入力され、そして、各ＯＮＵごとにこのような過程が順次行われて、最後のＯＮＵであるＯＮＵ９３−Ｍからのタイムスロットデータ９３Ｍ−１１が入力されると、サブ同期フレーム９３１−１が生成される。このようにして、順次にサブ同期フレーム２、３・・・が作成されていき、最後にサブ同期フレームｎが生成されると、各ＯＮＵ９３−１〜し９３−Ｍから送られる非同期データ９３１−２，９３１−２,・・・，９３Ｍ−２を受信して非同期フレームを作成し、スーパーフレームとしてＯＬＴ９１に伝送する。
【００７２】
以上、本発明のデータ伝送方法は、プログラムとして実装され、コンピュータで読み取り可能な形で記録媒体（ＣＤ−ＲＯＭ、ＲＡＭ、フロッピーディスク、ハードディスク、光磁気ディスクなど）に保存可能である。
【００７３】
また、本発明の詳細な説明においては好適な実施形態について詳述したが、本発明はこれらの実施形態に限定されるものではなく、本発明の範囲を逸脱することなく各種の実施形態が提供可能である。よって、本発明の真の技術的な範囲は上述の実施形態によって定められるものではなく、特許請求の範囲とその等価物によって定められるべきである。
【図面の簡単な説明】
【００７４】
【図１】従来の同期式イーサネットの同期式データを示す図。
【図２】本発明の同期式イーサネットの階層構造を示す例示図。
【図３】本発明の同期式イーサネットの階層構造において、同期フレームを処理するデータリンク階層としての同期フレーム処理部の詳細構造図。
【図４】従来のイーサネット受動型光加入者網における下り伝送方法を示す例示図。
【図５】本発明の同期式イーサネット受動型光加入者網における第１の下り伝送方法を示す例示図。
【図６】本発明の同期式イーサネット受動型光加入者網における第２の下り伝送方法を示す例示図。
【図７】従来のイーサネット受動型光加入者網における上り伝送方法を示す例示図。
【図８】本発明の同期式イーサネット受動型光加入者網における第１の上り伝送方法を示す例示図。
【図９】本発明の同期式イーサネット受動型光加入者網における第２の上り伝送方法を示す例示図。
【符号の説明】
【００７５】
１１  同期フレーム区間
１２  非同期フレーム区間
２１  ＰＨＹ階層
２２  ｘＭＩＩ階層
２３  ＭＡＣ階層
２４  ブリッジング階層
２５  上位階層    
２６  同期フレーム処理部 
２７  非同期フレーム処理部
【図１】
2006211678.tif 000003
【図２】
2006211678.tif 000004
【図３】
2006211678.tif 000005
【図４】
2006211678.tif 000006
【図５】
2006211678.tif 000007
【図６】
2006211678.tif 000008
【図７】
2006211678.tif 000009
【図８】
2006211678.tif 000010
【図９】
2006211678.tif 000011